(57)【要約】【課題】高い防犯性能を有する錠装置を備えたシャッターを安価に提供することを目的とする。【解決手段】建物の開口部の左右にガイドレール５,５を取り付け、シャッターパネル２の昇降を前記ガイドレール５,５で案内するシャッター１の防犯錠装置９において、シャッターパネル２の屋内側に設けた錠受け92と、ガイドレール５の屋内側に設けた上錠91とからなり、前記防犯錠装置９の上錠91は、開口部下縁に接するまで下降させて閉状態にあるシャッターパネル２の錠受け92の側方かつガイドレール５の屋内側に固定する錠本体911と、錠本体911からシャッターパネル２の屋内側に向けて出没し、閉状態にあるシャッターパネル２の前記錠受け92に係合するフック912aを設けた錠レバー912とからなるシャッター１の防犯錠装置９である。【選択図】図12
2007239348.tif 000002
【特許請求の範囲】
【請求項１】
建物の開口部の左右にガイドレールを取り付け、シャッターパネルの昇降を前記ガイドレールで案内するシャッターの防犯錠装置において、シャッターパネルの屋内側に設けた錠受けと、ガイドレールの屋内側に設けた上錠とからなり、上錠は、開口部下縁に接するまで下降させて閉状態にあるシャッターパネルの錠受けの側方かつガイドレールの屋内側に固定する錠本体と、錠本体からシャッターパネルの屋内側に向けて出没し、閉状態にあるシャッターパネルの前記錠受けに係合する上係合体とからなることを特徴とするシャッターの防犯錠装置。
【請求項２】
建物の開口部の左右にガイドレールを取り付け、シャッターパネルの昇降を前記ガイドレールで案内するシャッターの防犯錠装置において、シャッターパネルの屋内側に設けた錠受けと、ガイドレールの屋内側に設けた上錠と、開口部下縁の屋内側に設けた下錠とからなり、上錠は、開口部下縁に接するまで下降させて閉状態にあるシャッターパネルの錠受けの側方かつガイドレールの屋内側に固定する錠本体と、錠本体からシャッターパネルの屋内側に向けて出没し、閉状態にあるシャッターパネルの前記錠受けに上方から係合する上係合体とからなり、下錠は、開口部下縁からシャッターパネルの屋内側で上向きに突出し、閉状態にあるシャッターパネルの前記錠受けに下方から係合する下係合体からなることを特徴とするシャッターの防犯錠装置。
【請求項３】
上錠は、錠本体の回動ピンに軸着された錠レバーの先端にフックを設けて上係合体を構成してなり、錠レバーが錠本体に収納され、閉状態にあるシャッターパネルの錠受けからフックを遠ざけて係合を解除する解錠姿勢と、錠レバーが錠本体からシャッターパネルの屋内側に向けて水平に突出し、閉状態にあるシャッターパネルの錠受けに対してフックを上方から係合する施錠姿勢とを、錠レバーを回動させて選択的に切り換えることにより、フックを錠本体から出没させる請求項１又は２いずれか記載のシャッターの防犯錠装置。
【請求項４】
上錠は、錠レバーを回動させて解錠姿勢及び施錠姿勢を選択的に切り換える操作機構を設けてなり、前記操作機構は、錠レバーの回動半径方向に延びる係合溝と、錠本体の外部から操作して、前記係合溝の対となる2条の内周縁いずれかに当接する押圧突起とからなり、解錠姿勢にある錠レバーの係合溝の下方に位置する内周縁を操作機構の押圧突起により押し下げることにより前記錠レバーを回動させて施錠姿勢とし、施錠姿勢にある錠レバーの係合溝の上方に位置する内周縁を操作機構の押圧突起により押し上げることにより前記錠レバーを回動させて解錠姿勢とする請求項3記載のシャッターの防犯錠装置。
【請求項５】
操作機構は、上錠の錠本体からガイドレールに沿って上方に延びるロッドの下端に押圧突起を設け、前記ロッドの上端に連結した操作ツマミにより、前記押圧突起を押し下げ又は押し上げる請求項４記載のシャッターの防犯錠装置。
【請求項６】
上錠は、錠レバーが解錠姿勢及び施錠姿勢を超えて回動することを規制する規制機構を設けてなり、前記規制機構は、解錠姿勢及び施錠姿勢に対応して錠レバーの外周縁の回動周方向に設けた一対の解錠位置規制部及び施錠位置規制部と、錠本体に設けられ、解錠位置規制部及び施錠位置規制部いずれかに当接する回動規制部とからなり、解錠姿勢にある錠レバーの解錠位置規制部を錠本体の回動規制部に上方から当接させることにより前記錠レバーが解錠姿勢を超えて回動することを規制し、施錠姿勢にある錠レバーの施錠位置規制部を錠本体の回動規制部に下方から当接させることにより前記錠レバーが施錠姿勢を超えて回動することを規制する請求項3記載のシャッターの防犯錠装置。
【請求項７】
錠受けは、上下方向に貫通する筒状の係合部と、シャッターパネルを構成するボトムスラットに前記係合部を固定する取付部とからなる請求項１〜３いずれか記載のシャッターの防犯錠装置。
【請求項８】
シャッターパネルは、昇降を規制する中間錠装置を設けてなる請求項１〜３及び７いずれか記載のシャッターの防犯錠装置。
【発明の詳細な説明】
【技術分野】
【０００１】
本発明は、侵入者による錠破りや抉じ開けを強力に防止する防犯性能の高いシャッターの防犯錠装置に関する。
【背景技術】
【０００２】
多数のスラットを連結したシャッターパネルの両側端をガイドレールで保持して昇降させるシャッターに設けられる錠装置としては、操作性の高いものが、例えば、特許文献１に示されている。
【０００３】
この特許文献１の錠装置は、ガイドレール内に固定される係止具と、スラットの一つと代替される中間錠用スラットの両端に取り付けられ、シャッターパネルが下降する際に係止具を乗り越えるとバネの作用で係止具の下方に回り込んで施錠する係止体と、係止体の間の中間錠用スラットの長手方向に設定された軸芯の回りに回動可能に取り付けられ、上方へ回動させると、係止体に作用して係止体を係止具の下方から外して解錠する操作板とから構成される。
【０００４】
【特許文献１】特許第３７２４１６１号公報
【発明の開示】
【発明が解決しようとする課題】
【０００５】
特許文献１に記載された錠装置は、いくらシャッターを施錠していても、侵入者に中間錠用スラット付近のガイドレールを屋外側から無理矢理開かれ中間錠用スラットが手前に引っ張り出されることにより、係止体が係止具から外れて解錠されてしまう虞がある。また、中間錠用スラット前面のガイドレールの隙間からドライバー等を突っ込まれて直接係止体が回動されることにより、解錠されてしまう虞もある。
【０００６】
このため、ガイドレールを補強して開かれ難くしたり、ガイドレールの隙間から直接係止体が操作されないように、ガイドレール内の係止具や係止体の周囲に、それらを覆う部材を取り付けたりして解錠され難くしている。しかし、中間錠用スラットより下方のスラットがガイドレールから引き出された後、窓ガラスを破壊されて侵入されてしまう虞がある。これを防ぐため、ボトムスラットに単に同じような錠装置を取り付けることも考えられるが、ガイドレールは上下中間位置に比べて下端では開かれ易く、やはりガイドレールの補強や、係止体又は係止具を覆う部材といったものを別途取り付けなければ効果が薄く、コストが低く抑えられない問題があった。
【０００７】
本発明は、このような従来の構成が有していた問題を解決しようとするものであり、高い防犯性能を有する錠装置を備えたシャッターを安価に提供することを目的とする。
【課題を解決するための手段】
【０００８】
上記目的を解決するため、建物の開口部の左右にガイドレールを取り付け、シャッターパネルの昇降を前記ガイドレールで案内するシャッターの防犯錠装置において、シャッターパネルの屋内側に設けた錠受けと、ガイドレールの屋内側に設けた上錠とからなるシャッターの防犯錠装置を開発した。前記防犯錠装置の上錠は、開口部下縁に接するまで下降させて閉状態にあるシャッターパネルの錠受けの側方かつガイドレールの屋内側に固定する錠本体と、錠本体からシャッターパネルの屋内側に向けて出没し、閉状態にあるシャッターパネルの前記錠受けに係合する上係合体とからなることを特徴とする。
【０００９】
より好ましくは、シャッターパネルの屋内側に設けた錠受けと、ガイドレールの屋内側に設けた上錠と、開口部下縁の屋内側に設けた下錠とから防犯錠装置を構成する。この防犯錠装置の上錠は、開口部下縁に接するまで下降させて閉状態にあるシャッターパネルの錠受けの側方かつガイドレールの屋内側に固定する錠本体と、錠本体からシャッターパネルの屋内側に向けて出没し、閉状態にあるシャッターパネルの前記錠受けに上方から係合する上係合体とからなり、下錠は開口部下縁からシャッターパネルの屋内側で上向きに突出し、閉状態にあるシャッターパネルの前記錠受けに下方から係合する下係合体からなることを特徴とする。下係合体は、例えば水切りから突出するボルト等の突起がある。
【００１０】
ここで、上記防犯錠装置それぞれの上錠は、錠本体の回動ピンに軸着された錠レバーの先端にフックを設けて上係合体を構成し、錠レバーが錠本体に収納され、閉状態にあるシャッターパネルの錠受けからフックを遠ざけて係合を解除する解錠姿勢と、錠レバーが錠本体からシャッターパネルの屋内側に向けて水平に突出し、閉状態にあるシャッターパネルの錠受けに対してフックを上方から係合する施錠姿勢とを、錠レバーを回動させて選択的に切り換えることにより、フックを錠本体から出没させる構成にすることが好ましい。
【００１１】
この場合、上記上錠は、錠レバーを回動させて解錠姿勢及び施錠姿勢を選択的に切り換える操作機構を設けるとよい。この操作機構は、錠レバーの回動半径方向に延びる係合溝と、錠本体の外部から操作して、前記係合溝の対となる2条の内周縁いずれかに当接する押圧突起とからなり、解錠姿勢にある錠レバーの係合溝の下方に位置する内周縁を操作機構の押圧突起により押し下げることにより前記錠レバーを回動させて施錠姿勢とし、施錠姿勢にある錠レバーの係合溝の上方に位置する内周縁を操作機構の押圧突起により押し上げることにより前記錠レバーを回動させて解錠姿勢とする。前記操作機構は、上錠の錠本体からガイドレールに沿って上方に延びるロッドの下端に押圧突起を設け、前記ロッドの上端に連結した操作ツマミにより、前記押圧突起を押し下げ又は押し上げる構成にするとよい。
【００１２】
また、上記防犯錠装置それぞれの上錠は、錠レバーが解錠姿勢及び施錠姿勢を超えて回動することを規制する規制機構を設けるとよい。この規制機構は、解錠姿勢及び施錠姿勢に対応して錠レバーの外周縁の回動周方向に設けた一対の解錠位置規制部及び施錠位置規制部と、錠本体に設けられ、解錠位置規制部及び施錠位置規制部いずれかに当接する回動規制部とからなり、解錠姿勢にある錠レバーの解錠位置規制部を錠本体の回動規制部に上方から当接させることにより前記錠レバーが解錠姿勢を超えて回動することを規制し、施錠姿勢にある錠レバーの施錠位置規制部を錠本体の回動規制部に下方から当接させることにより前記錠レバーが施錠姿勢を超えて回動することを規制する。
【００１３】
このほか、本発明の防犯錠装置において、錠受けは、上下方向に貫通する筒状の係合部と、シャッターパネルを構成するボトムスラットに前記係合部を固定する取付部とからなる構成が好ましい。また、本発明の防犯錠装置を設けるシャッターパネルは、昇降を規制する中間錠装置、例えば特許文献１に示す錠装置と併用することが好ましい。
【発明の効果】
【００１４】
本発明の防犯錠装置は、シャッターパネルの屋内側に設けた錠受けと、ガイドレールの屋内側に設けた上錠との組み合わせにより、シャッターの高い防犯効果を実現する。これは、錠受けや上錠がいずれもガイドレールより更に屋内側に設けられていることや、錠受けに対する上錠の係合によりシャッターパネルが上下、前後及び左右いずれにも位置規制されることによる効果である。ここで、上錠に対する下錠を追加したり、上錠の操作機構にロッドを用いて屋外から手が届かない高さに操作位置を持ってくれば、更に防犯効果を高めることができる。
【００１５】
本発明の防犯錠装置は、上述のように、単独でも高い防犯効果をもたらすが、別途中間錠装置、例えば特許文献１に示す錠装置と併用することにより、更に防犯効果を高めることができる。これは、本発明の防犯錠装置が、簡素かつ小型で、しかも他の錠装置と干渉しない位置関係で構成できるため、他の錠装置との併用が容易なことによる効果である。このほか、本発明の防犯錠装置は、ガイドレールの補強や、係止体や被係止体の周囲を覆う部材を別途設ける必要がなく、またシャッターパネルの左右いずれかに対して設けるだけでよいため、製造コスト及び設置コストを低く抑えることのできる副次的効果がある。
【発明を実施するための最良の形態】
【００１６】
図１は本発明の防犯錠装置を取り付けたシャッター１を少しだけ開いた状態を表す背面図、図２は図１中Ａ−Ａ拡大断面図であり、図３は図１中Ｂ−Ｂ拡大断面図である。
【００１７】
シャッター１について説明する。シャッター１は、図１に見られるように、建物の開口部に設けられる。シャッターパネル２は、スラット21を上下に屈曲可能に連結して構成され、開口部上方のボックス３内に配設されるドラム（回動軸）４に巻き取られる。このシャッターパネル２は、ドラム４から繰り出され、開口部両側のガイドレール５に案内されて昇降する。ガイドレール５の屋内側には、ガイドレール５をサッシ枠等に固定する縦枠６が設けられている。また、建物の開口部下方には、下枠部材として同じくサッシ枠等に取り付けられる水切り７が設けられている。この水切り７が、開口部下縁にあたる。
【００１８】
ガイドレール５について説明する。ガイドレール５は、図３に見られるように、前片51、側片52及び後片53により、内向きに開口するガイド溝54を構成する。後片53の側片52寄りの端部には、縦枠６と係合させる係合片55が屋内側に向けて突設されている。また、後片53の内側には、重ね合わされる縦枠６とネジ止めにより一体化される接合片56が屋内側に向けて突設されている。そして、ガイド溝54の内方両端には、モヘア等からなる一対のクッション材57が対向関係で取り付けられている。
【００１９】
縦枠６について説明する。縦枠６は、ガイドレール５を開口部左右のサッシ枠（図示せず）等に取り付けるため、ガイドレール５とサッシ枠との間に介在させる部材である。この縦枠６は、外側片61、後片62及び内側片63を備えた形材からなり、後片62がサッシ枠にネジ止め固定される。外側片61は、先端をほぼ直角に折り曲げて、ガイドレール５の係合片55に係合する係合片64に形成されている。内側片63は、外側片61の側に一段控えさせた段差部からなる接合部が設けてあり、この接合部の段差内にガイドレール５の接合片56が接面状態でネジ止め固定される。
【００２０】
シャッターパネル２について説明する。シャッターパネル２は、図１に見られるように、薄板鋼板製の通常のスラット21より大きな剛性に設定された押出し形材からなるボトムスラット23が最下端に連結されている。また、本例では、閉鎖時の上下方向中間位置に、通常のスラット21より剛性の高い押出し形材からなる中間錠用スラット22が連結されている。中間錠用スラット22には、シャッターパネル２を施錠又は解錠する中間錠装置８が設けられている。前記中間錠装置８は、シャッターパネル２を閉鎖すると、自動的に施錠される。
【００２１】
図４は図１中Ｃ−Ｃ拡大断面図であり、図５は中間錠装置８の施錠動作（Ａ）及び解錠動作（Ｂ）の様子を表す縦断面図である。
【００２２】
中間錠装置８について説明する。中間錠装置８は、図１、図４及び図５に見られるように、中間錠用スラット22の屋内側左右両端に屋外側に向けて回動可能に設けた中間係止体81と、ガイドレール５内の後片53側に屋外側に向けて突設した中間被係止体82と、中間錠用スラット22背面の左右の中間係止体81,81間にわたって屋内側に向けて回動可能に設けた中間操作レバー83とから構成されている。
【００２３】
中間錠装置８を構成する中間係止体81は、中間被係止体82に対する係止方向にバネ（図示省略）で付勢されていて、シャッターパネル２が下降して中間係止体81が中間被係止体82に当接すると、斜面に沿って屋外側に回動しつつ中間被係止体82を乗り越してバネの力で下方に回り込み、自動的に係止（施錠）状態となる（図５（Ａ）の状態）。この係止（施錠）状態で、屋内側より中間操作レバー83を屋内側に回動させることにより、中間係止体81は屋外側に回動し、中間被係止体82の下面から外れ、解除（解錠）状態になる（図５（Ｂ）の状態）。そして、そのまま中間操作レバー83を引き上げるとシャッターパネル２は上昇させられる。この中間錠装置８は、設置する開口部の高さに合わせて、上下の取付位置を操作しやすい位置、すなわち比較的高い位置に設けることができるので、かがまなくても解錠操作できる利点がある。
【００２４】
防犯錠装置９について説明する。防犯錠装置９は、上記中間錠装置８と併用することにより、より優れた防犯効果が得られる。本例の防犯錠装置９は、図１に見られるように、一方（図１の左側）の縦枠６内の下端に取り付けた上錠91と、ボトムスラット23の屋内側の側端部（上錠91側）に取り付けた錠受け92と、上錠91を取り付けた側の縦枠６上方の内側面に取り付けた操作部93とからなる。この防犯錠装置９は、操作部93を操作することにより、上錠91に設けた錠レバー912をボトムスラット23に取り付けた錠受け92に係脱させてシャッター１を施錠又は解錠する。
【００２５】
図６は防犯錠装置９の側面図（Ａ）及び正面図（Ｂ）、図７は防犯錠装置９の分解斜視図、図８は防犯錠装置９の取り付けの様子を表す分解斜視図、図９は解錠状態にある防犯錠装置９の操作部93背面側から見た要部拡大断面図、図10は解錠状態にある防犯錠装置９の上錠91と錠受け92との関係を背面側から見た要部拡大断面図、図11は施解錠動作途中の状態にある防犯錠装置９の上錠91と錠受け92との関係を背面側から見た要部拡大断面図、図12は施錠状態にある防犯錠装置９の上錠91と錠受け92との関係を背面側から見た要部拡大断面図、図13は本発明の防犯錠装置９のシャッター１の閉鎖時における施錠状態を表す図１中Ｄ−Ｄ拡大断面図、図14は錠受け92と下錠94の関係を表す斜視図である。
【００２６】
防犯錠装置９の上錠91について説明する。上錠91は、ガイドレール５の接合片56にネジ止めされて縦枠６内に取り付けられる錠本体911と、錠本体911内に回動可能に取り付けた錠レバー912と、同じく錠本体911内に上下移動可能に取り付けたスライド部材913と、スライド部材913と錠本体911との間に組み込まれたトーションバネ914とから構成される。
【００２７】
上錠91を構成する錠本体911について説明する。錠本体911は、屋内側プレート911eと屋外側プレート911fとにより、錠レバー912とスライド部材913とを挟み込んだ構成である（図７参照）。屋外側プレート911fの内側縁（シャッターパネル２側、図１及び図３参照）には、ガイドレール５の接合片56にネジ止めするためのネジ孔が形成された雌ネジ部911aが上下２ヶ所に設けられている。また、屋内側プレート911eの内側縁には、前記各雌ネジ部911aに被せてネジ及び雌ネジ部911aに挟持される結合部911gが上下２ヶ所に設けられている。これにより、錠本体911は、屋内側プレート911eの結合部911gと屋外側プレート911fの雌ネジ部911aとをネジ止めにより一体化すると同時に、ガイドレール５の接合片56に固定される。錠本体911は、前記結合部911g及び雌ネジ部911aを除いて上下左右に開放し、錠レバー912を回動させたり、スライド部材913を通すことができるようにしている。
【００２８】
屋外側プレート911fの外側縁には、錠レバー912に設けた解錠位置規制部912b又は施錠位置規制部912cを当接させて、錠レバー912の解錠姿勢又は施錠姿勢を規制する回動規制部911bを、屋外側から屋内側へ向けて曲げ起こして形成している。本例は、解錠位置規制部912b、施錠位置規制部912c及び回動規制部911bにより、錠レバー912の回動を規制する規制機構を構成する。錠レバー912は、屋外側プレート911fから貫通して屋内側プレート911eに先端を支持される回動ピン911cに回動自在に取り付けられ、またスライド部材913は同じく屋外側プレート911fから貫通して屋内側プレート911eに先端を支持される取付ピン911dを上下方向の長孔であるガイド溝913aに貫通させている。回動ピン911c及び取付ピン911dは、屋内側プレート911eに支持される先端をそれぞれかしめることで抜け止めを図ると共に、屋内側プレート911e及び屋外側プレート911fを錠レバー912の厚みの間隔を保って一体化する役割も有している。
【００２９】
上錠91を構成する錠レバー912について説明する。錠レバー912は、回動ピン911cに回動自在に取り付けられている。この錠レバー912は、先端に鉤状をしたフック912aを備えている。本例では、前記フック912aを先端に備えた錠レバー912が上係合体となる。ここで、錠レバー912が直立姿勢となって前記フック912aが錠本体911内に収容された状態が解錠姿勢であり（図10参照）、錠レバー912が傾倒して水平姿勢となってフック912aが錠本体911から突出し、垂下した状態が施錠姿勢である（図12参照）。このように、錠レバー912の回動範囲は、約90度あればよい。錠レバー912を前記回動範囲で回動規制するため、本例の錠レバー912は、回動軸を挟んだフック912aと反対側の円弧周縁に、錠レバー912の解錠姿勢で錠本体911の回動規制部911bに上方から当接する解錠位置規制部912bと、同様に錠レバー912の施錠姿勢で前記回動規制部911bに下方から当接する施錠位置規制部912cとを設けている。これら解錠位置規制部912b及び施錠位置規制部912cと回動規制部911bとの組み合わせにより、錠レバー912の回動を規制する規制機構を構成する。
【００３０】
錠レバー912の回動を操作部93のロッド931の昇降に連動させるため、錠レバー912には回動半径方向に延びる係合溝912fを形成し、前記ロッド931の下端に接続するスライド部材913に設けた押圧突起913cを前記係合溝912fの上方又は下方に位置する内周縁912d,912dのいずれかに当接させている。係合溝912fは、錠レバー912が施錠姿勢（水平姿勢、図12参照）にあるとき、錠本体911の内側面に向けて下り勾配45度の切れ込みであり、ロッド931を引き上げるとスライド部材913が上昇し、前記スライド部材913の押圧突起913cが上方に位置する内周縁912dを押して錠レバー912を起立させ、解除姿勢に移行させる。逆に、錠レバー912が解錠姿勢（直立姿勢、図10参照）にあるとき、ロッド931を押し下げるとスライド部材913が下降し、前記スライド部材913の押圧突起913cが下方に位置する内周縁912dを押して錠レバー912を傾倒させ、施錠姿勢に移行させる。スライド部材913の押圧突起913cは、常時係合溝912f内に位置するが、あくまでロッド931に従う昇降運動しかしないことを利用し、下方に位置する内周縁912dに前記押圧突起913cに水平方向から当接する戻り止め縁912eを設け、施錠姿勢にある錠レバー912が外力によって起き上がらないようにしている（図12参照）。
【００３１】
上錠91を構成するスライド部材913について説明する。スライド部材913は、ロッド931と接続される上部を錠本体911から常に上方へ突出させた状態で錠本体911内を昇降自在に取り付けられる。スライド部材913は、上下方向の長穴からなるガイド溝913aに、錠本体911に固定した取付ピン911dを貫通させ、前記取付ピン911dにより昇降範囲が規制され、また昇降方向が案内されている。このスライド部材913は、回動ピン911cとの干渉を避けるため、下部を二股に分けている。前記二股の一方、錠本体911の内側面寄りの下端には、錠レバー912に設けた係合溝912fの内周縁912d,912dに当接する押圧突起913cを形成している。この押圧突起913cの先端は、屋内側プレート911eに開口させた上下方向に延びるガイド孔911h内に挿入され、昇降が案内される。また、前記二股の他方、錠本体911の内側面から遠い側は、ガイド溝913aと協働してスライド部材913の傾倒を防止するガイド片913dとして形成されている。ガイド片913dは、錠本体911に設けた回動規制部911bと回動ピン911cに嵌めた環状スペーサ915とに左右方向から挟まれた範囲で上下動する。このスライド部材913は、錠本体911から突き出した上端をロッド931にネジ止め固定することで操作部93に連結され、操作部93による錠レバー912の回動操作を可能にしている。
【００３２】
スライド部材913は、ガイド溝913a近傍に付勢部材用突起913bを屋内側に向けて折曲げ形成し、トーションバネ（捻りコイルバネ）914の一端を前記付勢部材用突起913bに保持し、スライド部材913の昇降に合わせて前記トーションバネ914の一端が昇降するようにしている。これに対し、トーションバネ914の他端は、錠本体911に位置固定された取付ピン911dに保持されていている。これにより、トーションバネ914は、スライド部材913の昇降によって姿勢を変化させ、スライド部材913の上昇端付近ではスライド部材913を押し上げる方向に付勢し、逆にスライド部材913の下降端付近ではスライド部材913を押し下げる方向に付勢することができ、錠レバー912の施錠姿勢及び解除姿勢の保持を助けるほか、ロッド931を介した施錠又は解錠操作に適度な節動感を与えている。
【００３３】
防犯錠装置９の操作部93について説明する。操作部93は、縦枠６の内側面に埋没させて前記縦枠６の外側に表れる上下方向に長尺なカバー933と、縦枠６の内部に配設される前記カバー933に対応する長尺な台座932とにより、ガイドレール５の接合片56を挟持させて、設置される。カバー933は、上下方向に長い凹部933aが外側面に向けて凹設されており、凹部933aの底面中央に、上下に細長い長孔933dを設けている。台座932には、前記カバー933の長孔933dに対応する位置関係で、同様に上下に細長い長孔932bを設けている。また、カバー933は凹部933aの上下に台座932に向けて突出した雌ネジ部933b,933bが、台座932は長孔932bの上下に前記カバー933に向けて突出した嵌合突起932a,932aが設けられている。
【００３４】
操作部93を取り付けるガイドレール５の接合片56は、カバー933の凹部933aが嵌入できる大きさの角孔562と、前記角孔562の上下にカバー933の雌ネジ部933bを差し込む大きさの孔561,561を設けている。前記接合片56に対応する縦枠６の内側片63には、台座932及びカバー933との干渉を排除する切欠631が設けられている。操作部93は、図８及び図９に見られるように、ガイドレール５の接合片56に穿設された孔561,561にカバー933の雌ネジ部933bを差し込んで前記カバー933を位置決めし、接合片56から突出する雌ネジ部933bに台座932の対応する嵌合突起932aを外嵌し、台座932及びカバー933で操作ツマミ934を挟んだ状態で、台座932側から嵌合突起932aを通じてカバー933の雌ネジ部933bにネジを螺着して、カバー933及び台座932を一体化すると共に、ガイドレール５に取り付ける。本例は、スライド部材913、ロッド931及び操作ツマミ934により、錠レバー912を回動させる操作機構を構成する。
【００３５】
操作部93を構成する操作ツマミ934は、カバー933に向けてノブ934aを突設し、また台座932に向けて凸片934bを突設した構造で、台座932とカバー933とに挟まれた状態で、前記ノブ934aをカバー933の長孔933dから突出させ、また凸片934bを台座932の長孔932bに差し込み、ノブ934aがカバーの長孔933dの範囲で昇降自在になっている。上錠91のスライド部材913から延びるロッド931は、台座932から突出する操作ツマミ934の凸片934bに対してネジ止めにより連結される。ロッド931は、上下端部に雌ネジ孔931aが上下２箇所ずつ形成された平板からなり、下端部はスライド部材913に、上端部は操作ツマミ934にそれぞれネジ止めにより連結する。本例の防犯錠装置９は、操作部93を上錠91から離した高い位置に取り付けているため、ロッド931が相当な長さとなり、比較的重量物になる。しかし、トーションバネ914の付勢により前記ロッド931を支持しているため、ロッド931が自然に下降して、解錠姿勢にある錠レバー912が勝手に傾倒しないようになっている。
【００３６】
防犯錠装置９の錠受け92について説明する。錠受け92は、図14に見られるように、係合部921、取付部922及び取付補強部923から構成される。係合部921は、厚板鋼板を折曲げ形成した平面視方形の筒状体である（図３及び図7参照）。上錠91の錠レバー912がフック912aを上方から差し込んで係止することにより、上下、前後及び左右方向に位置規制される錠受け92の主要部である。取付部922は、前記係合部921をボトムスラット23の底片231に対して位置固定する部位である。この取付部922は、ボトムスラット23の背面側に向けた水平な折り曲げ片からなり、前記折り曲げ片をボトムスラット23の底片231に接面させ、前記底片231の下方からネジ止めして位置固定される。取付補強部923は、前記係合部921及び取付部922のボトムスラット23に対する一体性を高め、大きな外力によって取付部922がボトムスラット23から背面側に引き剥がされてしまうことを強力に防止する部位である。これから、本例の取付補強部923は、ボトムスラット23の背面へ上下に対向させて設けた装着溝232,232内に上下縁が差し込まれる面板状にしている。
【００３７】
防犯錠装置９の下錠94について説明する。図14に見られるように、本例では、防犯錠装置９によるシャッターパネル２（図14中スラット21及びボトムスラット23で代表）の位置規制をより強化するため、筒状体からなる係合部921に下方から嵌合し、錠受け92を前後及び左右方向に位置規制する下錠94を、水切り７から突設している。本例の下錠94は、図13に示すように、水切り７に設けた上下貫通孔に下方から突出させて位置固定したボルト941を下係合体として構成される。前記ボルト941は、例えば水切り７背部の空間内に差し込まれたナット942等に螺合させて位置固定する。
【００３８】
次に、本例の防犯錠装置９による施錠の仕組みについて説明する。まず、シャッターパネル２を引き降ろすと、シャッター１は中間錠装置８によって自動的に施錠状態となる。ここで、シャッターパネル２の昇降に際する負荷を軽減させるバネ41（図１参照）がドラム４に組み込まれているため、シャッターパネル２を最下端の閉鎖位置まで降ろした際、前記バネ41により反動が生じて、シャッターパネル２が幾分持ち上がってしまう場合がある。本例における中間錠装置８は、自動的にシャッター1を施錠状態にすることで前記シャッターパネル２の持ち上がりを防止し、ボトムスラット23を水切り７に確実に接面させることにより、防犯錠装置９により確実に施錠できるようにする働きも有する。これから、本発明の防犯錠装置９は、シャッターパネル2を拘束する別の錠装置と併用することが好ましい。
【００３９】
ボトムスラット23を水切り７に接面させた状態（図９及び図10の状態）から操作部93の操作ツマミ934を降ろすと、ロッド931を介してスライド部材913が下降し、スライド部材913の押圧突起913cが錠レバー912の下方に位置する内周縁912dを押圧して、前記錠レバー912を内向きに下方回動させる（図11参照）。錠レバー912が回動すると、トーションバネ914が捻られて両端を離隔させる反発力を発生させる。このトーションバネ914の反発力に抗して、スライド部材913を更に下降させると、トーションバネ914は取付ピン911dを中心に姿勢を変化させ、今度は捻りを解消しながら両端を開いていく。そして、錠レバー912は、施錠位置規制部912cが回動規制部911bの下面に当接する水平な施錠姿勢で停止し、防犯錠装置９が施錠状態となる（図12参照）。このとき、錠レバー912の戻り止め縁912eがスライド部材913の押圧突起913cに当接することにより、錠レバー912の起き上がりが規制されるので、シャッターパネル２に大きな衝撃が加わって、錠レバー912を解錠方向へ回動させようとしても、防犯錠装置９が解錠される虞はない。
【００４０】
次に、本例の防犯錠装置９による解錠の仕組みについて説明する。施錠状態（図12の状態）から操作部93の操作ツマミ934を引き上げると、ロッド931を介してスライド部材913が上昇し、スライド部材913の押圧突起913cが錠レバー912の上方に位置する内周縁912dを押圧して、錠レバー912を外向きに上方回動させる（図11参照）。こうして錠レバー912が回動すると、施錠する際と同様に、トーションバネ914のコイル部分が捻られた反発力を発生させるが、前記反発力に抗して操作ツマミ934を上げていくとやがてトーションバネ914は姿勢を変化させて捻りを緩め始める。そして、錠レバー912は、解錠位置規制部912bが回動規制部911bの上面に当接する直立な解錠姿勢で停止し、防犯錠装置９が解錠状態となる（図10参照）。このとき、錠レバー912は、トーションバネ914がスライド部材913を押し上げているので、前記スライド部材913との係合関係により解錠姿勢が保たれている。防犯錠装置９を解錠した後、中間錠装置８を解錠すれば、シャッターパネル２の巻き上げが可能となる。
【００４１】
最後に本発明の防犯錠装置９を電動シャッターに適用する場合について説明する。上記例示は、手動式のシャッターパネル２についてであったが、本発明の防犯錠装置９は、ドラム４を正逆駆動させるモータ（開閉機）を備えた電動式のシャッターパネル２にも容易に適用できる。電動式のシャッターパネル２に対しても、シャッターパネル２の重量を軽減させるバネ41がドラム４に組み込まれているが、モータの減速機の抵抗やモータの制御によりシャッターパネル２の持ち上がりは抑制されているので、中間錠装置８（図１参照）又はその他の錠装置は不要である。この場合、防犯錠装置９は上記例示と全く同じ構成を用いることができ、しかも左右一方又は両方の縦枠６に取り付けるだけなので、防犯錠装置９以外の錠装置等を不要とする電動シャッターは、低コストで提供できる利点がある。また、モータにブレーキ機構を組み込んだり、シャッターパネル２の持ち上げを感知する上昇センサを設け、前記上昇センサの感知によりモータを閉鎖駆動させる制御機構を組み込めば、前記各機構と本発明の防犯錠装置９との組み合わせにより、より優れた防犯性を発揮させることができる。
【図面の簡単な説明】
【００４２】
【図１】本発明の防犯錠装置を取り付けたシャッターを少しだけ開いた状態を表す背面図である。
【図２】図１中Ａ−Ａ拡大断面図である。
【図３】図１中Ｂ−Ｂ拡大断面図である。
【図４】図１中Ｃ−Ｃ拡大断面図である。
【図５】中間錠装置の施錠動作（Ａ）及び解錠動作（Ｂ）の様子を表す縦断面図である。
【図６】防犯錠装置の側面図（Ａ）及び正面図（Ｂ）である。
【図７】防犯錠装置の分解斜視図である。
【図８】防犯錠装置の取り付けの様子を表す分解斜視図である。
【図９】解錠状態にある防犯錠装置の操作部を背面側から見た要部拡大断面図である。
【図１０】解錠状態にある防犯錠装置の上錠と錠受けとの関係を背面側から見た要部拡大断面図である。
【図１１】施解錠動作途中の状態にある防犯錠装置の上錠と錠受けとの関係を背面側から見た要部拡大断面図である。
【図１２】施錠状態にある防犯錠装置の上錠と錠受けとの関係を背面側から見た要部拡大断面図である。
【図１３】本発明の防犯錠装置のシャッターの閉鎖時における施錠状態を表す図１中Ｄ−Ｄ拡大断面図である。
【図１４】錠受けと下錠の関係を表す斜視図である。
【符号の説明】
【００４３】
１  シャッター
２  シャッターパネル
23  ボトムスラット
５  ガイドレール
６  縦枠
７  水切り
８  中間錠装置
９  防犯錠装置
91  上錠
911  錠本体
912  錠レバー
912a  フック
912b  解錠位置規制部
912c  施錠位置規制部
912d  内周縁
912e  戻り止め縁
912f  係合溝
913  スライド部材
913a  ガイド溝
913b  付勢部材用突起
913c  押圧突起
913d  ガイド片
914  トーションバネ
92  錠受け
921  係合部
922  取付部
923  取付補強部
93  操作部
931  ロッド
934  操作ツマミ
94  下錠
【図１】
2007239348.tif 000003
【図２】
2007239348.tif 000004
【図３】
2007239348.tif 000005
【図４】
2007239348.tif 000006
【図５】
2007239348.tif 000007
【図６】
2007239348.tif 000008
【図７】
2007239348.tif 000009
【図８】
2007239348.tif 000010
【図９】
2007239348.tif 000011
【図１０】
2007239348.tif 000012
【図１１】
2007239348.tif 000013
【図１２】
2007239348.tif 000014
【図１３】
2007239348.tif 000015
【図１４】
2007239348.tif 000016